【手続補正書】
【提出日】平成30年3月1日(2018.3.1)
【手続補正１】
【補正対象書類名】明細書
【補正対象項目名】発明の名称
【補正方法】変更
【補正の内容】
【発明の名称】表示装置
【手続補正２】
【補正対象書類名】特許請求の範囲
【補正対象項目名】全文
【補正方法】変更
【補正の内容】
【特許請求の範囲】
【請求項１】
可撓性を有する第１の表示パネルと、可撓性を有する第２の表示パネルと、透光層と、を有し、
前記第１の表示パネルは、前記第２の表示パネルと固定され、
前記第１の表示パネルは、第１の表示部と、第１の領域と、を有し、
前記第２の表示パネルは、第２の表示部を有し、
前記第２の表示部は、前記透光層を介して、前記第１の領域と重なる領域を有し、
前記透光層は、波長４５０ｎｍ以上７００ｎｍ以下の範囲の光の透過率の平均値が８０％以上である領域を有し、
前記透光層は、屈折率が空気よりも高い領域を有することを特徴とする表示装置。
【請求項２】
樹脂層と、可撓性を有する第１の表示パネルと、可撓性を有する第２の表示パネルと、透光層と、を有し、
前記樹脂層は、前記第１の表示パネル及び前記第２の表示パネルに渡って設けられ、
前記第１の表示パネルは、第１の表示部と、第１の領域と、を有し、
前記第２の表示パネルは、第２の表示部を有し、
前記第２の表示部は、前記透光層を介して、前記第１の領域と重なる領域を有し、
前記透光層は、波長４５０ｎｍ以上７００ｎｍ以下の範囲の光の透過率の平均値が８０％以上である領域を有し、
前記透光層は、屈折率が空気よりも高い領域を有することを特徴とする表示装置。
【請求項３】
アクリル板と、可撓性を有する第１の表示パネルと、可撓性を有する第２の表示パネルと、透光層と、を有し、
前記第１の表示パネル及び前記第２の表示パネルは、前記アクリル板に固定され、
前記第１の表示パネルは、第１の表示部と、第１の領域と、を有し、
前記第２の表示パネルは、第２の表示部を有し、
前記第２の表示部は、前記透光層を介して、前記第１の領域と重なる領域を有し、
前記透光層は、波長４５０ｎｍ以上７００ｎｍ以下の範囲の光の透過率の平均値が８０％以上である領域を有し、
前記透光層は、屈折率が空気よりも高い領域を有することを特徴とする表示装置。
【請求項４】
ガラス板と、可撓性を有する第１の表示パネルと、可撓性を有する第２の表示パネルと、透光層と、を有し、
前記第１の表示パネル及び前記第２の表示パネルは、前記ガラス板に固定され、
前記第１の表示パネルは、第１の表示部と、第１の領域と、を有し、
前記第２の表示パネルは、第２の表示部を有し、
前記第２の表示部は、前記透光層を介して、前記第１の領域と重なる領域を有し、
前記透光層は、波長４５０ｎｍ以上７００ｎｍ以下の範囲の光の透過率の平均値が８０％以上である領域を有し、
前記透光層は、屈折率が空気よりも高い領域を有することを特徴とする表示装置。
【請求項５】
プラスチック板と、可撓性を有する第１の表示パネルと、可撓性を有する第２の表示パネルと、透光層と、を有し、
前記第１の表示パネル及び前記第２の表示パネルは、前記プラスチック板に固定され、
前記第１の表示パネルは、第１の表示部と、第１の領域と、を有し、
前記第２の表示パネルは、第２の表示部を有し、
前記第２の表示部は、前記透光層を介して、前記第１の領域と重なる領域を有し、
前記透光層は、波長４５０ｎｍ以上７００ｎｍ以下の範囲の光の透過率の平均値が８０％以上である領域を有し、
前記透光層は、屈折率が空気よりも高い領域を有することを特徴とする表示装置。
【請求項６】
可撓性を有する第１の表示パネルと、可撓性を有する第２の表示パネルと、透光層と、を有し、
前記第１の表示パネルは、前記第２の表示パネルと固定され、
前記第１の表示パネルは、第１の表示部と、第１の領域と、を有し、
前記第２の表示パネルは、第２の表示部と、ＦＰＣと、を有し、
前記第２の表示部は、前記透光層を介して、前記第１の領域と重なる領域を有し、
前記ＦＰＣは、ソースドライバより外側であって、前記透光層を越えた領域に配置され、
前記第２の表示パネルは、前記ＦＰＣの近傍に湾曲領域を有し、
前記透光層は、波長４５０ｎｍ以上７００ｎｍ以下の範囲の光の透過率の平均値が８０％以上である領域を有し、
前記透光層は、屈折率が空気よりも高い領域を有することを特徴とする表示装置。
【請求項７】
樹脂層と、可撓性を有する第１の表示パネルと、可撓性を有する第２の表示パネルと、透光層と、を有し、
前記樹脂層は、前記第１の表示パネル及び前記第２の表示パネルに渡って設けられ、
前記第１の表示パネルは、第１の表示部と、第１の領域と、を有し、
前記第２の表示パネルは、第２の表示部と、ＦＰＣと、を有し、
前記第２の表示部は、前記透光層を介して、前記第１の領域と重なる領域を有し、
前記ＦＰＣは、ソースドライバより外側であって、前記透光層を越えた領域に配置され、
前記第２の表示パネルは、前記ＦＰＣの近傍に湾曲領域を有し、
前記透光層は、波長４５０ｎｍ以上７００ｎｍ以下の範囲の光の透過率の平均値が８０％以上である領域を有し、
前記透光層は、屈折率が空気よりも高い領域を有することを特徴とする表示装置。
【請求項８】
アクリル板と、可撓性を有する第１の表示パネルと、可撓性を有する第２の表示パネルと、透光層と、を有し、
前記第１の表示パネル及び前記第２の表示パネルは、前記アクリル板に固定され、
前記第１の表示パネルは、第１の表示部と、第１の領域と、を有し、
前記第２の表示パネルは、第２の表示部と、ＦＰＣと、を有し、
前記第２の表示部は、前記透光層を介して、前記第１の領域と重なる領域を有し、
前記ＦＰＣは、ソースドライバより外側であって、前記透光層を越えた領域に配置され、
前記第２の表示パネルは、前記ＦＰＣの近傍に湾曲領域を有し、
前記透光層は、波長４５０ｎｍ以上７００ｎｍ以下の範囲の光の透過率の平均値が８０％以上である領域を有し、
前記透光層は、屈折率が空気よりも高い領域を有することを特徴とする表示装置。
【請求項９】
ガラス板と、可撓性を有する第１の表示パネルと、可撓性を有する第２の表示パネルと、透光層と、を有し、
前記第１の表示パネル及び前記第２の表示パネルは、前記ガラス板に固定され、
前記第１の表示パネルは、第１の表示部と、第１の領域と、を有し、
前記第２の表示パネルは、第２の表示部と、ＦＰＣと、を有し、
前記第２の表示部は、前記透光層を介して、前記第１の領域と重なる領域を有し、
前記ＦＰＣは、ソースドライバより外側であって、前記透光層を越えた領域に配置され、
前記第２の表示パネルは、前記ＦＰＣの近傍に湾曲領域を有し、
前記透光層は、波長４５０ｎｍ以上７００ｎｍ以下の範囲の光の透過率の平均値が８０％以上である領域を有し、
前記透光層は、屈折率が空気よりも高い領域を有することを特徴とする表示装置。
【請求項１０】
プラスチック板と、可撓性を有する第１の表示パネルと、可撓性を有する第２の表示パネルと、透光層と、を有し、
前記第１の表示パネル及び前記第２の表示パネルは、前記プラスチック板に固定され、
前記第１の表示パネルは、第１の表示部と、第１の領域と、を有し、
前記第２の表示パネルは、第２の表示部と、ＦＰＣと、を有し、
前記第２の表示部は、前記透光層を介して、前記第１の領域と重なる領域を有し、
前記ＦＰＣは、ソースドライバより外側であって、前記透光層を越えた領域に配置され、
前記第２の表示パネルは、前記ＦＰＣの近傍に湾曲領域を有し、
前記透光層は、波長４５０ｎｍ以上７００ｎｍ以下の範囲の光の透過率の平均値が８０％以上である領域を有し、
前記透光層は、屈折率が空気よりも高い領域を有することを特徴とする表示装置。